(57)【要約】【課題】上下の前歯の内側、奥歯等についても磨きやすくした歯ブラシを提供する。【解決手段】柄１の先端に設けた植毛台３に毛５を植設してなる植毛部７を備えた歯ブラシにおいて、該植毛部７の毛切り形状は、植毛部７の長さ方向において、植毛部７の中央部１１が植毛台３の植毛面３ａと略平行であり、該中央部１１の前後各端２１、２３から植毛部７の前後各端１３、１５に向って植毛台に徐々に接近する方向に傾斜していることを特徴とする歯ブラシ。植毛部７は、複数本の毛５を束ねてなる多数の毛束９を植毛台３に植設してなるものであってもよいが、多数本の毛５を各別に植毛台３に植設してなるものであってもよい。【選択図】図１
2007068685.tif 000002
【特許請求の範囲】
【請求項１】
柄の先端に設けた植毛台に毛を植設してなる植毛部を備えた歯ブラシにおいて、
該植毛部の毛切り形状は、植毛部の長さ方向において、植毛部の中央部が植毛台の植毛面と略平行であり、該中央部の前後各端から植毛部の前後各端に向って植毛台に徐々に接近する方向に傾斜していることを特徴とする歯ブラシ。
【発明の詳細な説明】
【技術分野】
【０００１】
本発明は、歯ブラシに関するものであり、特に、植毛部の毛切り形状（側面から見た植毛部の形状）を工夫した歯ブラシに係るものである。
【背景技術】
【０００２】
歯ブラシは、歯に付着した歯垢や歯間の食物残渣等を除去し、更には歯肉のマッサージを行なうために、従来より広く使用されている。
【０００３】
歯ブラシとしては、柄の先端に設けた植毛台に毛を植設してなるものが従来より知られている。
【０００４】
植毛台には、複数本の毛（ブリッスル）を束ねてなる毛束（ブリッスル束）が植設される場合が多いが、多数本の毛が各別に植設されることもある。
【０００５】
また、植毛台に植毛される毛は、一般にナイロン等の合成樹脂製のものが用いられるが、動物の毛を用いたものも使用されている。
【０００６】
実開平６−１５４号公報は、先端をテーパ状に形成した毛束を植毛台に植設してなる歯ブラシ（以下「従来の歯ブラシ」という。）を開示している。
【０００７】
従来の歯ブラシは、毛束の先端をテーパ状に形成することにより、歯間部や歯と歯茎との境目等に十分に毛先が届くようにしたものである。
【特許文献１】実開平６−１５４号公報
【発明の開示】
【発明が解決しようとする課題】
【０００８】
しかるに、上記従来の歯ブラシは、他の一般的に使用されている歯ブラシと同様に、特に、上下の前歯の内側、奥歯（臼歯）等が磨きにくいという問題を有する。
【０００９】
本発明は、上記従来の歯ブラシ等における上述の如き問題を解決し、上下の前歯の内側、奥歯等についても磨きやすくした歯ブラシを提供しようとしてなされたものである。
【課題を解決するための手段】
【００１０】
上記課題を解決するために、本発明は、下記の歯ブラシを提供する。
【００１１】
柄の先端に設けた植毛台に毛を植設してなる植毛部を備えた歯ブラシにおいて、
該植毛部の毛切り形状は、植毛部の長さ方向において、植毛部の中央部が植毛台の植毛面と略平行であり、該中央部の前後各端から植毛部の前後各端に向って植毛台に徐々に接近する方向に傾斜していることを特徴とする歯ブラシ。
【発明の効果】
【００１２】
本発明による歯ブラシにおいては、植毛部における中央部の前後各端から植毛部の前後各端に向って植毛台に徐々に接近する方向に傾斜している傾斜部を上又は下の歯列弓における各前歯の内側、各奥歯等に一本ずつ好ましく押し当てることができると共に、歯ブラシの柄を略水平に保持した状態で植毛台の植毛面と略平行な植毛部の中央部を上又は下の歯列弓における複数本の前歯に好ましく押し当てることができる。即ち、本発明による歯ブラシは、上下の前歯の内側、奥歯等についても極めて磨きやすいものである。
【発明を実施するための最良の形態】
【００１３】
本発明による歯ブラシは、柄１の先端に設けた植毛台３に毛５、５・・・を植設してなる植毛部７を備えている点においては、従来の歯ブラシと同様である。
【００１４】
植毛部７は、図１、図３に示すように、複数本の毛５、５・・・を束ねてなる多数の毛束９、９・・・を植毛台３に植設してなるものであってもよいが、図２に示すように、多数本の毛５、５・・・を各別に植毛台３に植設してなるものであってもよい。
【００１５】
また、植毛台３に植毛される毛５、５・・・は、ナイロン等の合成樹脂製のものが好ましく用いられるが、動物の毛を用いたものもであっても差し支えない。
【００１６】
しかして、本発明においては、植毛部７の毛切り形状は、植毛部７の長さ方向（柄１の軸方向）において、植毛部７の中央部１１が植毛台３の植毛面３ａと略平行であり、該中央部１１の前後各端２１、２３から植毛部７の前後各端１３、１５に向って植毛台３に徐々に接近する方向に傾斜している。
【００１７】
即ち、植毛部７における中央部１１の前端２１から植毛部７の前端１３まで前側の傾斜部１７が形成され、植毛部７における中央部１１の後端２３から植毛部７の後端１５まで後側の傾斜部１９が形成されている。
【００１８】
中央部１１と前側の傾斜部１７との間の境部をなす中央部１１の前端２１と、中央部１１と後側の傾斜部１９との間の境部をなす中央部１１の後端２３とは、それぞれ丸みを帯びさせることが望ましい。
【００１９】
なお、本発明による植毛部７の毛切り形状は、植毛部７の長さ方向（柄１の軸方向）に関する側面形状としての毛切り形状であり、植毛部７の幅方向の形状については何等の制限を有するものではない。図３参照。
【００２０】
次に、本発明による歯ブラシの使用状態の数例について、説明する。
【００２１】
図４に示す事例においては、歯ブラシの柄１を略水平に保持した状態で植毛台３の植毛面３ａと略平行な植毛部７の中央部１１を上又は下の歯列弓における複数本の前歯３１、３１・・・に押し当てている。
【００２２】
図５に示す事例においては、植毛部７における後側の傾斜部１９を下歯弓列における歯３３の内側に押し当てている。
【００２３】
図６に示す事例においては、植毛部７における前側の傾斜部１７を上歯弓列における歯３５の内側に押し当てている。
【００２４】
図７に示す事例においては、植毛部７における後側の傾斜部１９を上歯弓列における歯３７の内側に押し当てている。
【００２５】
図８、図９に示す事例においては、植毛部７における前側の傾斜部１７を下歯弓列における歯（臼歯）３９の上面に押し当てている。
【図面の簡単な説明】
【００２６】
【図１】本発明による歯ブラシの一例を示す側面図である。
【図２】同上歯ブラシの別の一例を示す側面図である。
【図３】図１に示す歯ブラシの正面図である。
【図４】同上歯ブラシの使用状態の一例を示す平面図である。
【図５】同上歯ブラシの使用状態の別の一例を示す側面図である。
【図６】同上歯ブラシの使用状態の更に別の一例を示す側面図である。
【図７】同上歯ブラシの使用状態の更に別の一例を示す側面図である。
【図８】同上歯ブラシの使用状態の更に別の一例を示す側面図である。
【図９】同上歯ブラシの使用状態の更に別の一例を示す側面図である。
【符号の説明】
【００２７】
１  柄
３  植毛台
３ａ  植毛面
５  毛
７  植毛部
９  毛束
１１  中央部
１３  前端
１５  後端
１７  傾斜部
１９  傾斜部
２１  前端
２３  後端
３１  前歯
３３  歯
３５  歯
３７  歯
３９  歯
【図１】
2007068685.tif 000003
【図２】
2007068685.tif 000004
【図３】
2007068685.tif 000005
【図４】
2007068685.tif 000006
【図５】
2007068685.tif 000007
【図６】
2007068685.tif 000008
【図７】
2007068685.tif 000009
【図８】
2007068685.tif 000010
【図９】
2007068685.tif 000011